(57)【要約】【課題】携帯リモコンの操作性を向上させ、管理者全員に配布しても費用負担をおさえることのできるトイレ管理者用携帯リモコンを備えたトイレ装置を提供する。【解決手段】複数の個別トイレブースが連立したトイレブースにおいて、個別トイレブース内に設置された便器と、受信装置を備えた衛生洗浄装置と、衛生洗浄装置の実行動作内容を記憶する記憶手段と、衛生洗浄装置を動作させる携帯可能な携帯リモコンと、を備え、衛生洗浄装置の受信装置は、予め決定された動作を行うよう記憶手段に実行動作内容が記憶されており、更に、衛生洗浄装置は、携帯リモコンからの操作信号を受信すると、記憶手段に記憶されている実行動作内容に基づいて、受信した携帯リモコンからの操作信号に対応した動作を実行するよう構成されていることを特徴とするトイレ管理者用携帯リモコン及びトイレ管理者用携帯リモコンを備えたトイレ装置。【選択図】図１
2019173524.tif 000002
【特許請求の範囲】
【請求項１】
複数の個別トイレブースが連立したトイレブースにおいて、
前記個別トイレブース内に設置された便器と、
前記便器に設置され受信装置を備えた衛生洗浄装置と、
前記個別トイレブース内に固定され、前記衛生洗浄装置の前記受信装置を介して前記衛生洗浄装置を動作させるよう第１操作信号を送信する第１操作信号送信手段を備えた備え付けリモコンと、
前記衛生洗浄装置の実行動作内容を記憶する記憶手段と、
前記衛生洗浄装置の前記受信装置を介して前記衛生洗浄装置を動作させる携帯可能な携帯リモコンと、
前記携帯リモコンに設けられ、使用者が操作するための複数の操作ボタンと、
前記複数の前記操作ボタンのそれぞれに対応して異なる第２操作信号を送信するよう前記携帯リモコンに設けられた第２操作信号送信手段と、
を備え、
前記衛生洗浄装置の前記受信装置は、
前記第２操作信号に対応して、予め決定された動作を行うよう前記記憶手段に前記実行動作内容が記憶されており、
更に、前記衛生洗浄装置は、前記第２操作信号を受信すると、前記記憶手段に記憶されている前記実行動作内容に基づいて、受信した前記第２操作信号に対応した動作を実行するよう構成されている
ことを特徴とするトイレ管理者用携帯リモコンを備えたトイレ装置。
【請求項２】
前記携帯リモコンの前記操作ボタンは、使用者が行う作業に対応した表記がされている
ことを特徴とした請求項1に記載のトイレ管理者用携帯リモコンを備えたトイレ装置。
【請求項３】
前記携帯リモコンからの前記第２操作信号に対する前記衛生洗浄装置の前記実行動作内容は、変更記憶できるように構成されている
ことを特徴とした請求項２に記載のトイレ管理者用携帯リモコンを備えたトイレ装置。
【請求項４】
前記携帯リモコンから送信される前記第２操作信号は、標準化共通信号であり、複数の前記衛生洗浄装置で認識できる
ことを特徴とした請求項３に記載のトイレ管理者用携帯リモコンを備えたトイレ装置。
【請求項５】
前記携帯リモコンには、ロック機能が備えられており、
前記ロック機能を解除することで前記第２操作信号を送信することができるように構成されている
ことを特徴とした請求項３に記載のトイレ管理者用携帯リモコンを備えたトイレ装置。
【請求項６】
複数の個別トイレブースが連立したトイレブースにおいて、
前記個別トイレブース内に設置された便器と、
前記便器に設置され受信装置を備えた衛生洗浄装置と、
前記個別トイレブース内に固定され、前記衛生洗浄装置の前記受信装置を介して前記衛生洗浄装置を動作させるよう第１操作信号を送信する第１操作信号送信手段を備えた備え付けリモコンと、
前記衛生洗浄装置の実行動作内容を記憶する記憶手段と、
前記衛生洗浄装置の前記受信装置を介して前記衛生洗浄装置を動作させる携帯可能な携帯リモコンと、
前記携帯リモコンに設けられ、使用者が操作するための複数の操作ボタンと、
前記複数の前記操作ボタンのそれぞれに対応して異なる第２操作信号を送信するよう前記携帯リモコンに設けられた第２操作信号送信手段と、
を備え、
前記衛生洗浄装置の前記受信装置は、
前記第２操作信号に対応して、予め決定された動作を行うよう前記記憶手段に前記実行動作内容が記憶されており、
更に、前記衛生洗浄装置は、前記第２操作信号を受信すると、前記記憶手段に記憶されている前記実行動作内容に基づいて、受信した前記第２操作信号に対応した動作を実行するよう構成されている
ことを特徴とするトイレ管理者用携帯リモコン。
【発明の詳細な説明】
【技術分野】
【０００１】
本発明は、トイレ管理者用携帯リモコン及びトイレ管理者用携帯リモコンを備えたトイレ装置に関し、特に、公共施設のトイレブースに設置された衛生洗浄装置を操作することができるトイレ管理者用携帯リモコン及びトイレ管理者用携帯リモコンを備えたトイレ装置に関する。
【背景技術】
【０００２】
従来、公共施設のトイレブースの管理者は、衛生洗浄装置を操作するために、個別のブースに備え付けられた備え付けリモコンに近づき、一つ一つ操作する必要があった。また、備え付けリモコンは通常便座に座るユーザーが使いやすい高さに設置されているため、立って衛生洗浄装置を操作することの多い管理者は、リモコンの操作をするために、腰をかがめる必要があり、管理者にとって使い勝手が良くなかった。さらに、備え付けリモコンは、ユーザーの局部を洗浄するための洗浄ボタンなど管理者が使わないボタンが備えられているため、管理者は管理に必要なボタンを探すことに苦労することもあった。そこで、本出願人は、衛生洗浄装置を操作できる携帯リモコンを開発、販売に至った。管理者は携帯リモコンを使うことで、備え付けリモコンに一つ一つ近づき、腰をかがめる必要がなく、衛生洗浄装置を操作できるようになり、さらに、管理者が使うボタンだけを備えているので携帯リモコンの使い勝手が良くなり、衛生洗浄装置の管理性が向上し、管理者からこの携帯リモコンが非常に好評を得ている。
【先行技術文献】
【特許文献】
【０００３】
【特許文献１】特願２０１７−１７２００８号公報
【発明の概要】
【発明が解決しようとする課題】
【０００４】
本件発明は、従来の携帯リモコンをさらに改良し、衛生洗浄装置の管理性と携帯リモコンの使い勝手をさらに向上させた発明である。
【０００５】
本出願人が着眼したのは、ホテルや公共施設のトイレの衛生洗浄装置に対する管理者の作業が共通しており、また、同じ公共施設内であれば衛生洗浄装置に対する作業の内容も共通しているということである。具体的には、管理者は季節の変わり目などに、全ての衛生洗浄装置の暖房便座の温度や衛生洗浄装置から吐水される吐水温度を、例えば予め決められている２０℃に変更する。また、清掃管理者は、清掃のために衛生洗浄装置を清掃モードにして衛生洗浄装置に清掃を実行させたり、清掃管理者が清掃しやすいように衛生洗浄装置を機能停止状態にする。
【０００６】
しかし、従来の携帯リモコンは、備え付けリモコンと同様の操作、例えば、衛生洗浄装置が設置された環境に応じて温度が一度ずつ上がるように指示する仕様だったため、設定変更に時間がかかり、多くの衛生洗浄装置を変更する必要のある管理者はとても煩わしく感じていた。更に、機能が変更された衛生洗浄装置を設置する場合、その衛生洗浄装置は従来から使っていた携帯リモコンでは操作できず、管理性が低下する恐れがある。そのため、機能が変更された衛生洗浄装置を設置する場合、携帯リモコンも買い替える必要があった。さらに、多くの清掃管理者がいるビルなどでは携帯リモコンを全員に配布したいのに、買い替えは費用負担が多く、買い増しが躊躇されるという課題があった。
【０００７】
そこで、本発明は、この課題に鑑みてなされたものであり、携帯リモコンの操作性を向上させ、管理者全員に配布しても費用負担を抑えることのできる実用上優れた管理者リモコンに進化させることができ、トイレ装置の管理性をより向上させたものである。
【課題を解決するための手段】
【０００８】
本請求項１に係る発明は、複数の個別トイレブースが連立したトイレブースにおいて、個別トイレブース内に設置された便器と、便器に設置され受信装置を備えた衛生洗浄装置と、個別トイレブース内に固定され、衛生洗浄装置の受信装置を介して衛生洗浄装置を動作させるよう第１操作信号を送信する第１操作信号送信手段を備えた備え付けリモコンと、衛生洗浄装置の実行動作内容を記憶する記憶手段と、衛生洗浄装置の受信装置を介して衛生洗浄装置を動作させる携帯可能な携帯リモコンと、携帯リモコンに設けられ、使用者が操作するための複数の操作ボタンと、複数の操作ボタンのそれぞれに対応して異なる第２操作信号を送信するよう携帯リモコンに設けられた第２操作信号送信手段と、を備え、衛生洗浄装置の受信装置は、第２操作信号に対応して、予め決定された動作を行うよう記憶手段に実行動作内容が記憶されており、更に、衛生洗浄装置は、第２操作信号を受信すると、記憶手段に記憶されている実行動作内容に基づいて、受信した第２操作信号に対応した動作を実行するよう構成されている。
【０００９】
本請求項１に係る発明のトイレ管理者用携帯リモコンを備えたトイレ装置によれば、衛生洗浄装置は携帯リモコンから送信された操作信号を受信すると、衛生洗浄装置の記憶手段に記憶された操作信号に対応した管理者が望む作業内容を読み出して実行するように構成されているので、管理者が望む動作を携帯リモコンで詳細に操作する必要がなく、操作を簡便にでき、管理者の操作性や操作時間が短縮でき、極めて管理性の高いトイレ装置が提供できる。また、作業内容は衛生洗浄装置側で判断して実行するため、衛生洗浄装置の機種が変わって機能が変化しても、携帯リモコンを買い替えなくていいようにすることが可能となる。公共施設のトイレの管理者は、清掃管理者全員に携帯リモコンを持たせるなどの対応を安心して行うことができるので、実用上優れた効果を奏するものである。
【００１０】
本請求項２に係る発明は、請求項１に記載されたトイレ管理者用携帯リモコンを備えたトイレ装置の構成に加えて、携帯リモコンの操作ボタンは、使用者が行う作業に対応した表記がされている。
【００１１】
本請求項２に係る発明のトイレ管理者用携帯リモコンを備えたトイレ装置によれば、請求項１に係る発明が奏する効果に加えて、操作ボタンに管理者が行う作業に対応した表記がされているため、管理者は携帯リモコンを見ただけで、操作方法が分かり、使い勝手の良い携帯リモコンになる。管理者が季節の変わり目に行う作業として、例えば、季節が夏から秋へと移り、肌寒くなってきた際、衛生洗浄装置の便座温度と吐水温度を上げることがある。この時、携帯リモコンに「秋」と表記された操作ボタンが備えられていることで、管理者は、秋を押せば良いということが一目で分かり、操作しやすい携帯リモコンでトイレ装置の管理性が向上する。なお、この作業に対応した表記がされたボタンを押す一回のリモコン操作で、管理者が衛生洗浄装置に求める複数の動作を実行するように設定することも可能である。
【００１２】
本請求項３に係る発明は、請求項２に記載されたトイレ管理者用携帯リモコンを備えたトイレ装置の構成に加えて、携帯リモコンからの第２操作信号に対する衛生洗浄装置の実行動作内容は、変更記憶できるように構成されている。
【００１３】
衛生洗浄装置に記憶させておく実行動作内容が固定されていて、管理者が設定変更できない場合、例えば、極端に寒い地域の公共施設のトイレブースでは、メーカーが設定した便座温度では低く、便座が冷たく感じられてしまう恐れがあり、衛生洗浄装置の使い勝手が悪い。本請求項３に係る発明のトイレ装置によれば、請求項２に係る発明が奏する効果に加えて、衛生洗浄装置の記憶手段に記憶させておく実行動作を変更し、メーカーが設定した実行動作内容から衛生洗浄装置が設置された環境に応じた設定内容に変更できるので、トイレ装置の管理性が向上する。
【００１４】
本請求項４に係る発明は、請求項３に記載されたトイレ管理者用携帯リモコンを備えたトイレ装置の構成に加えて、携帯リモコンからの第２操作信号は、標準化共通信号であり、複数の衛生洗浄装置で認識できる。
【００１５】
公共施設のトイレブースには複数の機種や年式の衛生洗浄装置が備えられていることが多いため、ある機種や年式の衛生洗浄装置が操作できない携帯リモコンであると、使い勝手が悪い。本請求項４に係る発明のトイレ管理者用携帯リモコンを備えたトイレ装置によれば、請求項３に係る発明が奏する効果に加えて、携帯リモコンから、複数の衛生洗浄装置が認識できる標準化共通信号を送信するので、衛生洗浄装置の機種や年式に関わらず、操作することができ、携帯リモコンを買い換える必要が無くなるため、トイレ装置の管理性が飛躍的に向上する。
【００１６】
本請求項５に係る発明は、請求項３に記載されたトイレ管理者用携帯リモコンを備えたトイレ装置の構成に加えて、携帯リモコンにはロック機能が備えられており、ロック機能を解除することで第２操作信号を送信することができるように構成されている。
【００１７】
携帯リモコンは管理者が操作しなくても、何かに接触すると第２操作信号を送信し、衛生洗浄装置の設定を変えてしまう恐れがある。本請求項５に係る発明のトイレ管理者用携帯リモコンを備えたトイレ装置によれば、請求項３に係る発明が奏する効果に加えて、信号を送信する操作をする前にロック機能を解除する必要があるため、例えば清掃者が掃除中無意識に管理者リモコンを体に押し付け携帯リモコンを操作してしまい、無意識のうちに衛生洗浄装置の設定を変えてしまうということを防止でき、トイレ装置の管理性が向上する。
【００１８】
本請求項６に係る発明は、複数の個別トイレブースが連立したトイレブースにおいて、個別トイレブース内に設置された便器と、便器に設置され受信装置を備えた衛生洗浄装置と、個別トイレブース内に固定され、衛生洗浄装置の受信装置を介して衛生洗浄装置を動作させるよう第１操作信号を送信する第１操作信号送信手段を備えた備え付けリモコンと、衛生洗浄装置の実行動作内容を記憶する記憶手段と、衛生洗浄装置の受信装置を介して衛生洗浄装置を動作させる携帯可能な携帯リモコンと、携帯リモコンに設けられ、使用者が操作するための複数の操作ボタンと、複数の操作ボタンのそれぞれに対応して異なる第２操作信号を送信するよう携帯リモコンに設けられた第２操作信号送信手段と、を備え、衛生洗浄装置の受信装置は、第２操作信号に対応して、予め決定された動作を行うよう記憶手段に実行動作内容が記憶されており、更に、衛生洗浄装置は、第２操作信号を受信すると、記憶手段に記憶されている実行動作内容に基づいて、受信した第２操作信号に対応した動作を実行するよう構成されていることを特徴とするトイレ管理者用携帯リモコン。
【００１９】
本請求項６に係る発明のトイレ管理者用携帯リモコンによれば、衛生洗浄装置は携帯リモコンから送信された操作信号を受信すると、衛生洗浄装置の記憶手段に記憶された操作信号に対応した管理者が望む作業内容を読み出して実行するように構成されているので、管理者が望む動作を携帯リモコンで詳細に操作する必要がなく、操作を簡便にでき、管理者の操作性や操作時間が短縮できる。また、作業内容は衛生洗浄装置側で判断して実行するため、衛生洗浄装置の機種が変わっても共通の携帯リモコンを使うことが可能になり、衛生洗浄装置の機種が変わって機能が変化しても、携帯リモコンを買い替えなくていいようにすることが可能となる。公共施設のトイレの管理者は、清掃管理者全員に携帯リモコンを持たせるなどの対応を安心して行うことができるので、実用上優れた効果を奏するものである。
【発明の効果】
【００２０】
本発明により、携帯リモコンの操作性を向上させ、管理者全員に配布しても費用負担を抑えることのできる実用上優れた管理者リモコンに進化させることができ、トイレ管理者用携帯リモコン及びトイレ管理者用携帯リモコンを備えたトイレ装置の管理性をより向上させる。
【図面の簡単な説明】
【００２１】
【図１】トイレ管理者用携帯リモコンを備えたトイレ装置の斜視図
【図２ａ】携帯リモコンの一括設定モードで衛生洗浄装置を設定変更している概略図
【図２ｂ】携帯リモコンの個別設定モードで衛生洗浄装置を設定変更している概略図
【図３】本実施形態のトイレ装置の制御ブロック図
【図４】本実施形態の携帯リモコンの操作パネルの平面図
【図５】第２の実施形態である携帯リモコンの操作パネルの平面図
【図６】第３の実施形態である携帯リモコンの操作パネルの平面図
【図７】本実施形態の実行動作設定変更画面を示す図
【発明を実施するための形態】
【００２２】
以下、本発明の実施の形態について図面を参照しつつ説明する。なお、各図面中、同様
の構成要素には同一の符号を付して詳細な説明は適宜省略する。
図1は、本実施形態に係るトイレ管理者用携帯リモコンを備えたトイレ装置を例示する斜視図である。本実施形態に係るトイレ装置１は、トイレ装置本体２と、備え付けリモコン４と、携帯リモコン６と、ランプ８を有する。トイレ装置１は、例えば、レストランやホテル、駅や空港、店舗などの公共施設のトイレブースに設置される。
【００２３】
トイレ装置本体２は、洋式腰掛便器１０（以下、単に便器１０とする）と、便器１０の上に固定された衛生洗浄装置２０を備えており、備え付けリモコン４または携帯リモコン６から送信される信号によって、遠隔操作することができる。備え付けリモコン４及び携帯リモコン６から送信される信号は赤外線が用いられている。なお、信号の種類として電波を用いても良い。
【００２４】
便器１０は、上部にボウル部１２を有している。ボウル部１２は、便器上部１４から下方へ凹んだ凹状に形成されている。ボウル部１２は、使用者が排泄した汚物や尿などを受ける。また、ボウル部１２の内部には水が貯留されており、便器１０に接続された排水管から悪臭や害虫類などが室内に入ってくるのを防止する。
【００２５】
衛生洗浄装置２０は、ケーシング２２、便座２４、便蓋２６、及び、ノズル２８を有する。便座２４と便蓋２６は、ケーシング２２に対して軸支されている。便座２４は、便器１０の上縁に沿って配置された閉状態と、便器１０の上縁に対して略垂直に配置された開状態との間で、ケーシング２２に対する軸を回転の中心として回動自在になっている。同様に、便蓋２６も、便器１０の上縁に配置された閉状態と、便器１０の上縁に対して略垂直に配置された開状態との間で、ケーシング２２に対する軸を回転の中心として回動自在になっている。なお、便蓋２６は必ずしも設けなくともよい。
【００２６】
また、本実施形態の衛生洗浄装置２０は、衛生洗浄機能と、暖房便座機能とを有する。衛生洗浄機能は、便座２４に座った使用者の局部（「おしり」など）をノズル２８からの吐水により洗浄する洗浄動作を行う機能である。暖房便座機能は、便座２４の着座面を適温に温める便座加熱動作を行う機能である。
【００２７】
衛生洗浄機能では、使用者の操作に応じて、ノズル２８を便器１０のボウル部１２内に進出させる。そして、ノズル２８の先端付近に設けられた吐水口から洗浄水を噴射する。これにより、使用者の局部を洗浄することができる。ノズル２８は、衛生洗浄機能を実行していない状態では、ケーシング２２の内部に収納される。
【００２８】
図２は、トイレブースＴＢにおいて管理者が携帯リモコン６を使用している図である。トイレブースＴＢには、複数の個別トイレブースＰＴＢが設けられており、各個別トイレブースＰＴＢ内には、それぞれ衛生洗浄装置２０と備え付けリモコン４が設置されており、個別トイレブースＰＴＢの外には、衛生洗浄装置２０が設定変更されると点灯するランプ８が設置されている。ランプ８の詳細に関しては、後述する。また、管理者は、備え付けリモコン４とは別にトイレブースＴＢ内の衛生洗浄装置２０を操作することができる携帯リモコン６を持ち歩いている。
【００２９】
従来、公共施設のトイレブースＴＢの管理者は、衛生洗浄装置２０を操作するために、個別トイレブースＰＴＢの備え付けリモコン４に近づき、一つ一つ操作する必要があった。また、備え付けリモコン４は通常便座２４に座るユーザーが使いやすい高さに設置されているため、立って衛生洗浄装置２０を操作することの多い管理者は、備え付けリモコン４の操作をするために、腰をかがめる必要があり、管理者にとって使い勝手が良くなかった。さらに、備え付けリモコン４は、ユーザーの局部を洗浄するための洗浄ボタンなど管理者が使わない多くのボタンが備えられているため、管理者は管理に必要なボタンを探すことに苦労することもあった。管理者は、本実施形態の携帯リモコン６を使い、衛生洗浄装置２０を操作することで、備え付けリモコン４に一つ一つ近づき、腰をかがめる必要がなくなり、さらに、管理者が使うボタンだけを備えているので携帯リモコンの使い勝手が良くなり、衛生洗浄装置２０の管理性が向上した。
【００３０】
各個別トイレブースＰＴＢ内の衛生洗浄装置２０と備え付けリモコン４は、互いにペアリングされており、備え付けリモコン４は、同じ個別トイレブースＰＴＢ内の衛生洗浄装置２０のみが操作できる設定がされている。ペアリングは、各衛生洗浄装置２０と備え付けリモコン４が内蔵する制御手段のソフトウェア的設定により実現されている。例えば、衛生洗浄装置２０と備え付けリモコン４の間で送受信する動作信号に識別情報を付与し、動作実行前に当該識別情報を判別することにより、衛生洗浄装置２０と備え付けリモコン４の紐づけを実現できる。
【００３１】
本実施形態の携帯リモコン６は、複数の衛生洗浄装置２０が一括で操作できる一括設定モードと個別の衛生洗浄装置２０のみを操作できる個別設定モードを備えている。
図２aは、携帯リモコン６の一括設定モードで衛生洗浄装置２０を設定変更している図を示している。携帯リモコン６で衛生洗浄装置２０を操作する際、個別トイレブースＰＴＢ内の衛生洗浄装置２０に一つ一つ近づき、操作することは非常に手間となり、管理性が悪くなる。本実施形態の携帯リモコン６は、一括操作モードでトイレブースＴＢ内の複数の衛生洗浄装置２０に対して、操作信号を送信し、一回の操作で各種の動作指示や設定変更指示することが可能であるため、トイレ装置１の管理性を向上させることができる。
【００３２】
しかし、本実施形態の携帯リモコン６の様に、一括操作モードで複数の衛生洗浄装置２０の設定変更を行った際、管理者はどの衛生洗浄装置２０の設定変更が上手く行われたかを知ることができず、不安になる可能性がある。そこで、本実施形態のトイレ装置１には、各個別トイレブースＰＴＢにランプ８が備えられており、ランプ８が点灯したことで、管理者は衛生洗浄装置２０の設定が変更されたことを知ることができるように構成されているため、管理性の高いトイレ装置１となる。なお、設定変更されたことを報知する方法として、衛生洗浄装置２０に音声スピーカーを備え、その音声スピーカーから出る音で報知しても良く、また、備え付けリモコン４もしくは携帯リモコン６に報知機能を設け、携帯リモコン６にどの衛生洗浄装置２０が設定変更されたかを報知しても良い。さらに、衛生洗浄装置２０や備え付けリモコン４に表示を行うことなどで通知しても良い。
【００３３】
また、本実施形態の携帯リモコン６から送信される操作信号は、複数の衛生洗浄装置２０が認識できる標準化共通信号であり、例えば、衛生洗浄装置２０の機種や年式、メーカーに関わらず認識できる信号である。公共のトイレブース内には様々な機種や年式、メーカーの衛生洗浄装置２０が設置されているため、特定の機種だけが操作できる携帯リモコン６では、トイレ装置１の管理性が低い。しかし、衛生洗浄装置２０の機種や年式、メーカーに応じて携帯リモコン６を変えると、管理者はその度に携帯リモコン６の使い方を覚える必要があり、使い勝手が悪く、管理性の低いトイレ装置１になってしまう。本実施形態の携帯リモコン６から送信される信号は標準化共通信号であるため、同じ携帯リモコン６を衛生洗浄装置２０の機種や年式、メーカーに関わらず、使い続けることができ、管理性の高いトイレ装置１が提供できる。
【００３４】
図２bは、携帯リモコン６の個別設定モードで衛生洗浄装置２０を設定変更している図である。個別設定モードの携帯リモコン６は、個別の衛生洗浄装置２０のみに対して各種の動作指示や設定変更指示が可能となる。例えば、個別トイレブースＰＴＢ内にユーザーがいる場合、ユーザーが使用中の衛生洗浄装置２０の設定を変えてしまうと、急に便座が冷たくなったり、吐水温度が下がったりし、ユーザーを驚かせてしまう恐れがある。しかし、本実施形態の携帯リモコン６には個別設定モードが備えられているので、ユーザーがいる衛生洗浄装置２０の設定を誤って変えてしまうことを防ぐことができる。
【００３５】
図３は、本実施形態の備え付けリモコン４、携帯リモコン６、及び、衛生洗浄装置２０の受信装置２００の機械的構成を示すブロック図である。受信装置２００は、受信部２１０と、ＣＰＵ２１２と、備え付け信号用記憶手段２１４と、標準化共通信号用記憶手段２１６と、リレー通信送信手段２１８とを備えており、ＣＰＵ２１２とノズルモーター２２０と、脱臭モーター２２２と、便座モーター２２４と、ランプ８が接続されている。
【００３６】
受信装置２００の受信部２１０は、備え付けリモコン４または携帯リモコン６から送信された操作信号を受信する。ＣＰＵ２１２は、受信部２１０が受信した信号の種類を識別する。その後、受信した信号の種類に応じて、備え付け信号用記憶手段２１４もしくは標準化共通信号用記憶手段２１６に記憶されている実行動作内容を読み出し、動作を実行する。なお、本実施形態のＣＰＵ２１２が制御する動作実行部は、リレー通信送信手段２１８、ノズルモーター２２０、脱臭モーター２２２、便座モーター２２４、ランプ８が構成されているが、これらに限定されず、例えば、便蓋開閉用のモーターや水勢制御モーターなどで構成されても良い。
【００３７】
衛生洗浄装置２０は備え付けリモコン４からの操作信号を認識すると、ＣＰＵ２１２は備え付け信号用記憶手段２１４から実行動作内容を読み出し、動作を実行する。また、携帯リモコン６からの操作信号を認識するとＣＰＵ２１２は、標準化共通信号用記憶手段２１６から実行動作内容を読み出し、動作を実行する。
従来の携帯リモコン６では、例えば、管理者は、便座温度と吐水温度を設定変更するためにそれぞれの対応するボタンを操作し、設定変更を行っており、操作を覚える必要があったり、操作回数が多くなるため、手間となっていた。また、携帯リモコン６に実行動作内容を記憶させている場合、新しい機能を備えた衛生洗浄装置２０をトイレブースＴＢ内に１台でも設置すると、携帯リモコン６の一括操作モードでトイレブースＴＢ内の全ての衛生洗浄装置２０の設定変更をすることができない状況が生まれてしまう。そして、一括操作ができる状況にするためには、携帯リモコン６も新しく買い換える必要が出てくるため、管理者は清掃管理者全員に携帯リモコン６を持たせることに躊躇された。
本実施形態のトイレ装置１では、衛生洗浄装置２０に実行動作内容が記憶されている備え付け信号用記憶手段２１４と標準化共通信号用記憶手段２１６を有するため、管理者が望む動作を携帯リモコン６で詳細に操作する必要がなく、操作を簡便にでき、管理者の操作性や操作時間が短縮でき、極めて管理性の高いトイレ装置１が提供できる。また、作業内容は衛生洗浄装置２０側で判断して実行するため、衛生洗浄装置２０の機種が変わり、機能が変化しても、携帯リモコン６を買い替えなくていいようにすることが可能となる。さらに、公共施設のトイレの管理者は、清掃管理者全員に携帯リモコン６を持たせるなどの対応を安心して行うことができるので、実用上優れた効果を奏するものである。
【００３８】
リレー通信送信手段２１８が駆動されると、各個別トイレブースＰＴＢ内の備え付けリモコン４に対して、リレー通信を行うように信号が送信される。リレー通信の実行指示信号を受けた備え付けリモコン４は、両隣の個別トイレブースＰＴＢに対して、設定変更信号を送信し、両隣の個別トイレブースＰＴＢと同じ設定変更が行われる。例えば、一括操作モードで設定変更を行うと同時にリレー通信送信手段２１８がリレー通信の実行指示信号を送信した際、携帯リモコン６からの設定変更信号を受け取れず設定変更が行われなかった衛生洗浄装置２０が出てしまっても、隣の個別トイレブースＰＴＢの備え付けリモコン４から設定変更信号を受け取り事ができるため、トイレブースＴＢ内の全ての衛生洗浄装置２０がより確実に設定変更され、管理性の高いトイレ装置１になる。なお、本実施形態のトイレ装置１では、備え付けリモコン４からリレー通信信号が送信されたが、衛生洗浄装置２０に信号送信手段を設け、衛生洗浄装置２０からリレー通信信号を送信しても良い。
【００３９】
また、ノズルモーター２２０が駆動されると、ノズル２８が衛生洗浄装置２０のケーシング２２から出てくる、もしくは、ケーシング２２に収納される。脱臭モーター２２２が駆動されると、衛生洗浄装置２０に備えられている脱臭機能が実行され、トイレブースＴＢ内の空気が浄化される。便座モーター２２４が駆動されると、便座２４が自動で開閉し、清掃者が掃除するときに一つ一つの便座２４を開けたり、閉めたりする必要が無くなり、使い勝手の良いトイレ装置１となる。
【００４０】
図４は、本実施形態の携帯リモコン６の操作パネル図である。携帯リモコン６には、使用者が操作する操作パネル６０が設けられている。操作パネル６０には、運転ボタン６１０、掃除モードボタン６１２、ノズルそうじボタン６１４、節電ボタン６１６、春ボタン６１８、夏ボタン６２０、秋ボタン６２２、冬ボタン６２４、便座温度上昇ボタン６２６及び便座温度下降ボタン６２８、吐水温度上昇ボタン６３０及び吐水温度下降ボタン６３２が設けられている。
【００４１】
運転ボタン６１０が押下されると、衛生洗浄装置２０の機能が停止され、再び運転ボタン６１０を押下しなければ、衛生洗浄装置２０はいかなる動作も実行しない状態になる。この構成によって、清掃者が清掃中、急に衛生洗浄装置２０が動作し、清掃者の意図せずにノズル２８から吐水されることや、ボウル部１２に洗浄水が流れることを防止できる。なお、本実施形態では、もう一度運転ボタン６１０を押さないと運転が再開されないように構成されているが、予め決めた時間が経過したら、自動的に運転が再開されるように構成しても良い。
掃除モードボタン６１２が押下されると、衛生洗浄装置２０の標準化共通信号用記憶手段２１６に予め記憶された掃除動作内容を読み出し、衛生洗浄装置２０は掃除動作を実行する。ノズルそうじボタン６１４が押下されると、ノズル２８がケーシング２２から出てくるため、ノズル２８の外側を布などで拭いたり、ノズル２８の吐水口を掃除したりできる。また、再びノズルそうじボタン６１４が押下されると、ノズル２８は、ケーシング２２に格納される。
【００４２】
節電ボタン６１６を押下すると、節電ボタン６１６を押下してから予め決められた時間は暖房便座機能と温水機能が作動しなくなり、節電ができる。再び、節電ボタン６１６を押下すると、暖房便座機能と温水機能が作動し、便座が暖かくなり、温水がノズル２８から吐水されるようになる。四季が表記された春ボタン６１８、夏ボタン６２０、秋ボタン６２２、冬ボタン６２４を押下すると、それぞれの季節に合わせた便座温度及び吐水温度に設定変更される。このようなボタンを構成することで、管理者は携帯リモコン６を見ただけで、操作方法が分かり、使い勝手の良い携帯リモコン６を備えたトイレ装置１になる。管理者が季節の変わり目に行う作業として、例えば、季節が夏から秋へと移り、肌寒くなってきた際、衛生洗浄装置２０の便座温度と吐水温度を上げることがある。この時、携帯リモコン６に「秋」と表記された操作ボタンが備えられていることで、管理者は、秋ボタン６２２を押せば良いということが一目で分かり、操作しやすい携帯リモコン６を備えた管理性の高いトイレ装置１になる。なお、ボタン上の表記は、四季以外にも、時間帯「朝」、「昼」、「夜」など管理者が携帯リモコンを使うシーンや作業内容に合わせた表記にしても良い。
便座温度上昇ボタン６２６及び便座温度下降ボタン６２８をそれぞれ押下することで、便座温度を微調整し、各管理者の意図に合わせた便座温度に設定できる。また、吐水温度上昇ボタン６３０及び吐水温度下降ボタン６３２をそれぞれ押下することで、吐水温度を微調整し、各管理者の意図に合わせた吐水温度に設定できる。
【００４３】
図５は、第２の実施形態である携帯リモコン６の操作パネル図である。図５の携帯リモコン６には、図５の携帯リモコン６に設けられていないボウル洗浄ボタン６３４、脱臭ボタン６３６、便座温度調節ボタン高６４０、中６４２、低６４４、吐水温度調節ボタン高６４６、中６４８、低６５０が備えられている。なお、第２実施形態の携帯リモコン６は、操作パネル以外は、本実施形態の携帯リモコン６と同一の構成であっても良い。
【００４４】
ボウル洗浄ボタン６３４を押下すると、ボウル部１２に洗浄水が流れ、ボウル部１２を洗浄することができる。脱臭ボタン６３６を押下すると、衛生洗浄装置２０の脱臭モーター２２２が作動し、トイレブースＴＢ内の空気が脱臭される。再び、脱臭ボタン６３６を押下することで、脱臭モーター２２２が停止し、脱臭機能が停止する。
【００４５】
便座温度調節ボタン高６４０、中６４２、低６４４を押下すると、衛生洗浄装置２０の標準化共通信号用記憶手段２１６に予め記憶されたそれぞれのボタンに対応する便座温度に設定変更される。また、吐水温度調節ボタン高６４６、中６４８、低６５０を押下すると、衛生洗浄装置２０の標準化共通信号用記憶手段２１６に予め記憶されたそれぞれのボタンに対応する吐水温度に設定変更される。
【００４６】
図６は、第３の実施形態である携帯リモコン６の操作パネル図である。図６には、ロック機能６５２が備えられており、図示する状態では、ロック状態となっており、携帯リモコン６のいかなるボタン操作も受け付けない。このようにロック機能６５２を備えることで、携帯リモコン６で信号を送信する操作をする前にロック機能６５２を解除する必要があるため、例えば、清掃者が掃除中無意識に携帯リモコン６を体に押し付け携帯リモコン６を操作し、衛生洗浄装置２０の設定を変えてしまうということを防止でき、管理性の高いトイレ装置１になる。また、図示していないが、ロック機能６５２を解除状態にすると、携帯リモコン６のボタン操作が可能になる。なお、本実施形態のロック機能６５２はつまみを移動させることで、ロック状態と解除状態を選択できるが、例えば、ロックボタンと解除ボタンを設ける物理的構造による構成や、運転ボタン６１０を長押しすることで、ロック状態と解除状態を選択できる制御的構成を用いても良い。
なお、第３実施形態の携帯リモコン６は、操作パネル以外は、本実施形態の携帯リモコン６と同一の構成であっても良い。
【００４７】
図７は、標準化共通信号用記憶手段２１６に記憶されている実行動作内容を変更する時の操作画面である。実行動作設定変更画面８０には、掃除モード設定エリア８１０と、春モード設定エリア８１２、夏モード設定エリア８１４、秋モード設定エリア８１６、冬モード設定エリア８１８と、決定ボタン８２０と、戻るボタン８２２が備えられている。なお、設定できる内容は、本実施形態で示している内容以外にも、節電モードの継続時間や便座温度上昇ボタン６２６と便座温度下降ボタン６２８の調整幅を変更できるように構成にしても良い。
【００４８】
掃除モード設定エリア８１０では、掃除モード時に実行する実行動作内容としてノズルそうじの有無、脱臭の有無、ボウル洗浄の有無が選択できる。図７の状態では、掃除モードにおいて、ノズルそうじとボウル洗浄を実行し、脱臭は実行しない設定になっている。また、季節毎の便座温度と吐水温度が設定できる。例えば、図７の状態では、「春」の時、便座温度が２８℃、吐水温度が３５℃に設定されている。実行動作設定変更画面８０の使用者が設定を変更後、決定ボタン８２０を押すことで、設定の変更が標準化共通信号用記憶手段２１６に記憶される。また、設定を変更せずに、戻るボタン８２２を押すことで、標準化共通信号用記憶手段２１６の設定は変更されず、実行動作設定変更画面８０は閉じられる。なお、実行動作設定変更画面８０は、備え付けリモコン４に表示するようにしても良いし、携帯リモコン６や衛生洗浄装置２０に表示されるように構成しても良い。また、タッチパネルを採用し、タッチ操作で実行動作設定変更画面８０を操作できるようにしても良い。
【００４９】
このように実行動作設定が変更できるように構成することで、本実施形態のトイレ装置１では、管理者はそれぞれのトイレブースに合った細かな設定変更ができる。例えば、寒い地域の公共施設のトイレブースにおいて、メーカーが予め設定した便座温度や吐水温度では、冷たく感じてしまう恐れがある。その場合、管理者は実行動作設定変更画面８０から便座温度や吐水温度をメーカーが設定した温度よりも高く設定することができるため、衛生洗浄装置２０の設置環境に応じた細やかな設定変更が可能な管理性の高いトイレ装置１が提供できる。
【００５０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置本体２、備え付けリモコン４、携帯リモコン６などが備える各要素の形状、寸法、材質、配置、設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００５１】
１      ・・・  トイレ装置
２      ・・・  トイレ装置本体
４      ・・・  備え付けリモコン
６      ・・・  携帯リモコン
８      ・・・  ランプ
１０    ・・・  洋風腰掛便器（便器）
１２    ・・・  ボウル部
１４    ・・・  便器上部
２０    ・・・  衛生洗浄装置
２２    ・・・  ケーシング
２４    ・・・  便座
２６    ・・・  便蓋
２８    ・・・  ノズル
６０    ・・・  操作パネル
８０    ・・・  実行動作設定変更画面
２００  ・・・  受信装置
２１０  ・・・  受信部
２１２  ・・・  ＣＰＵ
２１４  ・・・  備え付け信号用記憶手段
２１６  ・・・  標準化共通信号用記憶手段
２１８  ・・・  リレー通信送信手段
２２０  ・・・  ノズルモーター
２２２  ・・・  脱臭モーター
２２４  ・・・  便座モーター
６１０  ・・・  運転ボタン
６１２  ・・・  掃除モードボタン
６１４  ・・・  ノズルそうじボタン
６１６  ・・・  節電ボタン
６１８  ・・・  春ボタン
６２０  ・・・  夏ボタン
６２２  ・・・  秋ボタン
６２４  ・・・  冬ボタン
６２６  ・・・  便座温度上昇ボタン
６２８  ・・・  便座温度下降ボタン
６３０  ・・・  吐水温度上昇ボタン
６３２  ・・・  吐水温度下降ボタン
６３４  ・・・  ボウル洗浄ボタン
６３６  ・・・  脱臭ボタン
６４０  ・・・  便座温度調節ボタン高
６４２  ・・・  便座温度調節ボタン中
６４４  ・・・  便座温度調節ボタン低
６４６  ・・・  吐水温度調節ボタン高
６４８  ・・・  吐水温度調節ボタン中
６５０  ・・・  吐水温度調節ボタン低
６５２  ・・・  ロック機能
８１０  ・・・  掃除モード設定エリア
８１２  ・・・  春モード設定エリア
８１４  ・・・  夏モード設定エリア
８１６  ・・・  秋モード設定エリア
８１８  ・・・  冬モード設定エリア
８２０  ・・・  決定ボタン
８２２  ・・・  戻るボタン
【図１】
2019173524.tif 000003
【図２ａ】
2019173524.tif 000004
【図２ｂ】
2019173524.tif 000005
【図３】
2019173524.tif 000006
【図４】
2019173524.tif 000007
【図５】
2019173524.tif 000008
【図６】
2019173524.tif 000009
【図７】
2019173524.tif 000010